(57)【要約】【課題】低コストで、かつ破損しやすい部位のみを容易に交換できる電線抜け止め型のワイヤーハーネス組立用支持治具を提供する。【解決手段】Ｕ字状部３側に取付けられた電線抜け止め用ストッパー１４を有するワイヤーハーネス組立用支持治具において、前記電線抜け止め用ストッパー１４の抜け防止片１４ａを、前記Ｕ字状部３に着脱可能に取り付けたことを特徴とする。たとえば、ハーネスの結束等の用途で汎用されている結束バンドの廃材を、抜け防止片１４ａやホルダー部１４ｂとして利用することができる。【選択図】図１
2004303677.tif 000002
【特許請求の範囲】
【請求項１】
Ｕ字状部側に取付けられた電線抜け止め用ストッパーを有するワイヤーハーネス組立用支持治具において、前記電線抜け止め用ストッパーの抜け防止片を、前記Ｕ字状部に着脱可能に取り付けたことを特徴とする、ワイヤーハーネス組立用支持治具。
【請求項２】
請求項１に記載のワイヤーハーネス組立用支持治具であって、前記抜け防止片は配線用結束バンドのバンド部であることを特徴とするワイヤーハーネス組立用支持治具。
【請求項３】
請求項２に記載のワイヤーハーネス組立用支持治具であって、前記Ｕ字状部は前記抜け防止片を保持するホルダー部を有し、前記ホルダー部は配線用結束バンドのバックル部であることを特徴とするワイヤーハーネス組立用支持治具。
【発明の詳細な説明】
【０００１】
【発明の属する技術分野】
本発明は、ワイヤーハーネスを組立てる際に電線束を仮保持するワイヤーハーネス組立用支持治具に関するものである。
【０００２】
【従来の技術】
一般に、ワイヤーハーネスを組立てる工程では、図４に示すようにワイヤーハーネスの組立線図が描かれたベース１上に、先端がＵ字状をなす棒状の複数の支持基体２をワイヤーハーネスの配線経路に沿って垂直に取付け、この支持基体２の先端のＵ字状部に、コネクタ６等が接続された電線を配策して電線把４を仮保持し、粘着テープ５で電線把４を部分的に巻きつけながら、ワイヤーハーネスの製造を行う。
【０００３】
しかしながら、配索される電線の回路数が多い場合、図５に示すように、一部の電線が支持基体２のＵ字状部３から飛び出すことにより、配索に支障をきたすことがある。よって、電線がＵ字状部から飛び出さないようにするための電線抜け止め用ストッパーを有した治具が従来からいろいろと工夫されている。
【０００４】
例として、図６に示すように支持基体のＵ字状部３に、電線抜け止め用ストッパーとして弾性を有した片持ち状片１２を取付けた組立用治具がある（特許文献１）。この治具では、片持ち状片１２とＵ字状部３とで囲まれる空間に電線把（図示せず）を収容することにより、電線把のＵ字状部３からの飛び出しが防止される。また、配索後の電線を取り出す際には、片持ち状片１２を弾性的に変位させることにより、電線把を抜き出すようにする。
【０００５】
一方、耐久性に優れたワイヤーハーネス組立用支持治具として、図７に示すように、Ｕ字状部３にコイルばね１０とこのコイルばね１０によって弾性的に変位できる棒片１１が一体的に溶接されている構造も考案されている（特許文献２）。
【特許文献１】実開平０４−０６１８１７
【特許文献２】特開平１０−３０２５５８
【０００６】
【発明が解決しようとする課題】
しかしながら、片持ち状片を設けたワイヤーハーネス組立用支持治具においては、電線把の出し入れが繰り返されることによる治具の材料劣化や破損が起こりやすく、頻繁に治具の交換を行う必要が生じる。そのため、劣化や破損の起こりやすい部位のみを簡単に交換できるようなワイヤーハーネス組立用支持治具が望まれていた。
一方コイルばねを用いる治具では、材料の劣化が起こりにくいという利点があるが、コイルばねに緻密な設計が要求されるため治具の作製にコストがかかるという問題点がある。すなわち、取り扱う電線把の太さに応じて、電線把を収容している時は棒片どうしが確実に突き合わされ、電線把を出し入れする際には容易に変位するよう、コイルばねの弾性力を設計する必要がある。
したがって本発明の目的は、低コストで、かつ破損しやすい部位のみを容易に交換できる電線抜け止め型のワイヤーハーネス組立用支持治具を提供することである。
【０００７】
【課題を解決するための手段】
上記の課題を解決するため、請求項１にかかるワイヤーハーネス組立用支持治具は、Ｕ字状部側に取付けられた電線抜け止め用ストッパーを有するワイヤーハーネス組立用支持治具において、前記電線抜け止め用ストッパーの抜け防止片を、前記Ｕ字状部に着脱可能に取り付けたことを特徴とする。
【０００８】
この構成によれば、電線抜け止め用ストッパーを着脱可能に取り付けたため、劣化あるいは破損しやすい部位である抜け防止片のみを簡単に交換することができる。
請求項２にかかるワイヤーハーネス組立用支持治具は、請求項１に記載のワイヤーハーネス組立用支持治具であって、前記抜け防止片は配線用結束バンドのバンド部であることを特徴とする。
【０００９】
請求項３にかかるワイヤーハーネス組立用支持治具は、請求項２に記載のワイヤーハーネス組立用支持治具であって、前記Ｕ字状部は前記抜け防止片を保持するホルダー部を有し、前記ホルダー部は配線用結束バンドのバックル部であることを特徴とする。
【００１０】
この構成によれば、配線の結束等の用途で汎用されている結束バンドの廃材を、抜け防止片あるいはホルダー部として利用することができるため、本発明のワイヤーハーネス組立用支持治具は、非常に低コストなものとなる。
【００１１】
【発明の実施の形態】
以下、本発明のワイヤーハーネス組立用支持治具を図面を参照しながら説明する。図１は、本発明に係るワイヤーハーネス組立用支持治具の斜視図である。このワイヤーハーネス組立用支持治具は、ベース１に取付けられた棒体部と該棒体部の先端に形成されたＵ字状部３からなる支持基体２と、該Ｕ字状部３側に取付けられた電線抜け止め用ストッパー１４を有しており、電線抜け止め用ストッパー１４を抜け防止部１４ａとパイプ状のホルダー部１４ｂとに分離した点に特徴がある。
【００１２】
ホルダー部１４ｂは、その上部に支持孔１５があり、下部はＵ字状部３に取り付けられている。一方、抜け防止片１４ａはホルダー部１４ｂの支持孔１５に着脱可能に取り付けられており、使用中に抜け防止片１４ａが支持孔１５から容易に外れることのない構造になっている。図２（イ）に示すように、ホルダー部１４ｂ上部の支持孔１５の一壁には一対のスリット１６が設けられ、該スリット間にロック支持部２０が形成されており、ロック支持部２０は弾性的に変位できるようになっている。ロック支持部２０の内側にはロック片２１が形成されている。一方、抜け防止片１４ａの表面には歯状のラチェット部１７が形成されている。図２（ロ）に示すように、抜け防止片１４ａを支持孔１５に差し込むと、ロック片２１が抜け防止部１４ａ表面の歯状のラチェット部１７を噛み込むことにより抜け防止片１４ａがロックされて、ホルダー部１４ｂから容易に抜けないようになっている。抜け防止片１４ａのロックを外すには、ロック支持部２０を外側に変位させればよい。上記のように、抜け防止片１４ａをホルダー部１４ｂに着脱可能に取り付けたため、抜け防止片１４ａが劣化あるいは破損した場合には、簡単に交換を行うことができる。
【００１３】
抜け防止片１４ａとしては、結束バンド等の名称で呼ばれ、ハーネスの結束や部品装着等の用途で汎用されている樹脂製のバンドを利用することができる。結束バンドは通常、図３に示すように、歯状のラチェット部１７を有するバンド部１８と、内側にロック片２１を有するロック支持部としてのバックル部２３を備えている。この結束バンドはバンド部１８をバックル部２３に挿通し、ラチェット部１７の適当な位置で止めることにより電線などを結束固定用として用いられる。結束バンドをＡ−Ａ’部で切断し、先端部１８を例えば加熱して曲げ癖を付けるなどすれば、本発明の抜け防止片として利用することができる。結束バンドとしては不要になった箇所を切断して利用できるため、コストをほとんどかけずに抜け防止片を得ることができる。また、図８に示すようにホルダー部１４ｂとして結束バンドのバックル部２３を用いればより低コストでワイヤーハーネス組立用支持治具を構成することができる。
【００１４】
なお、抜け防止片１４ａとホルダー部１４ｂとの結合構造は、ラチェット部１７とロック支持部２０との組合せに限定されるものではなく、たとえば抜け防止片１４ａをホルダー部１４ｂに圧入するような構造であっても良い。
【００１５】
【発明の効果】
以上説明したように、本発明のワイヤーハーネス組立用支持治具は、電線抜け止め用ストッパーを、ホルダー部と抜け防止片とに分離し、前記抜け防止片を前記ホルダー部に着脱可能に取り付けたため、劣化あるいは破損しやすい部位である抜け防止片のみを簡単に交換することができる。また、ハーネスの結束等の用途で汎用されている結束バンドの廃材を、抜け防止片やホルダー部として利用することができるため、本発明のワイヤーハーネス組立用支持治具は、非常に低コストなものとなる。
【図面の簡単な説明】
【図１】本発明に係るワイヤーハーネス組立用支持治具の実施形態を表す斜視図。
【図２】本発明に係るワイヤーハーネス組立用支持治具の要部を拡大した（イ）側面図。（ロ）断面図。
【図３】汎用されている結束バンドを表す斜視図。
【図４】一般的なワイヤーハーネス組立工程を説明する説明図。
【図５】一般的なワイヤーハーネス組立工程における問題点を説明する説明図。
【図６】従来の電線抜け止めストッパーを有するワイヤーハーネス組立用支持治具を表す斜視図。
【図７】従来の電線抜け止めストッパーを有するワイヤーハーネス組立用支持治具を表す斜視図。
【図８】本発明に係るワイヤーハーネス組立用支持治具の実施形態を表す図。
【符号の説明】
１  ベース
２  支持基体
３  Ｕ字状部
４  電線把
５  粘着テープ
６  コネクタ
１０  コイルばね
１１  棒片
１２  片持ち状片
１４  電線抜け止め用ストッパー
１４ａ  抜け防止片
１４ｂ  ホルダー部
１５  支持孔
１６  スリット
１７  ラチェット部
１８  バンド部
２０  ロック支持部
２１  ロック片
２３  バックル部
【図１】
2004303677.tif 000003
【図２】
2004303677.tif 000004
【図３】
2004303677.tif 000005
【図４】
2004303677.tif 000006
【図５】
2004303677.tif 000007
【図６】
2004303677.tif 000008
【図７】
2004303677.tif 000009
【図８】
2004303677.tif 000010